(57)【要約】【課題】脚部の取付方向を変更して固定できるようにしたテーブルの脚部構造を、出っ張り等をなくして簡易化することにより、美観を保つとともに天板の下を広く使用することができるテーブルの脚部構造を提供すること。【解決手段】天板１に回転固定機構３を介して脚部２を、脚部２の取付方向を変更して固定できるようにし、回転固定機構３には、天板１の裏面に設けた取付プレート３１と、この取付プレート３１の背面に形成した天板１の空洞部１１内に回転可能に配設した回転部材３２とを備え、回転部材３２と脚部２の基端部材２２とを取付プレート３１に形成した孔３１ａを通してねじ３３で螺着することにより、回転部材３２と脚部２の基端部材２２とによって取付プレート３１の孔３１ａの周縁を挟持し、脚部２を固定する。【選択図】図２
2016202667.tif 000002
【特許請求の範囲】
【請求項１】
天板に回転固定機構を介して脚部を該脚部の取付方向を変更して固定できるようにしたテーブルの脚部構造であって、前記回転固定機構が、天板の裏面に設けた取付プレートと、該取付プレートの背面に形成した空洞部内に回転可能に配設した回転部材とを備え、回転部材と脚部の基端部とを取付プレートに形成した孔を通してねじで螺着することにより、回転部材と脚部の基端部とによって取付プレートの孔の周縁を挟持し、脚部を固定するようにしたことを特徴とするテーブルの脚部構造。
【請求項２】
前記脚部の基端部に掛止爪を形成し、該掛止爪を取付プレートの孔の周縁に掛止することにより、１本のねじで螺着することで、脚部を固定するようにしたことを特徴とする請求項１記載のテーブルの脚部構造。
【請求項３】
前記脚部の基端部に窓部を形成し、該窓部を介して補助機能部材を装着するようにしたことを特徴とする請求項１又は２記載のテーブルの脚部構造。
【請求項４】
前記脚部の基端部に窓部を形成し、隣接するテーブルの窓部同士が対向するように脚部を固定するようにし、両窓部に連結部材を架け渡して装着するようにしたことを特徴とする請求項１又は２記載のテーブルの脚部構造。
【発明の詳細な説明】
【技術分野】
【０００１】
本発明は、テーブル（本明細書において、「平机」等の机を含み、単に「テーブル」という。）の脚部構造に関し、特に、脚部の取付方向を変更して固定できるようにしたテーブルの脚部構造に関するものである。
【背景技術】
【０００２】
方向性を有する脚部を天板に取り付けるようにしたテーブルにおいて、脚部の取付方向を変更して固定できるようにすることにより、テーブルの使用形態を多様化できるようにしたものがある（例えば、引用文献１〜２参照。）。
【先行技術文献】
【特許文献】
【０００３】
【特許文献１】特開２００４−３０５２３３号公報
【特許文献２】特開２００６−１８０９６７号公報
【発明の概要】
【発明が解決しようとする課題】
【０００４】
本発明は、脚部の取付方向を変更して固定できるようにしたテーブルの脚部構造を、出っ張り等をなくして簡易化することにより、美観を保つとともに天板の下を広く使用することができるテーブルの脚部構造を提供することを第１の目的とする。
【０００５】
また、本発明は、脚部に補助機能部材や連結部材を簡易に装着することができるようにしたテーブルの脚部構造を提供することを第２の目的とする。
【課題を解決するための手段】
【０００６】
上記第１の目的を達成するため、本発明のテーブルの脚部構造は、天板に回転固定機構を介して脚部を該脚部の取付方向を変更して固定できるようにしたテーブルの脚部構造であって、前記回転固定機構が、天板の裏面に設けた取付プレートと、該取付プレートの背面に形成した空洞部内に回転可能に配設した回転部材とを備え、回転部材と脚部の基端部とを取付プレートに形成した孔を通してねじで螺着することにより、回転部材と脚部の基端部とによって取付プレートの孔の周縁を挟持し、脚部を固定するようにしたことを特徴とする。
【０００７】
この場合において、前記脚部の基端部に掛止爪を形成し、該掛止爪を取付プレートの孔の周縁に掛止することにより、１本のねじで螺着することで、脚部を固定するようにすることができる。
【０００８】
さらに、上記第２の目的を達成するため、本発明のテーブルの脚部構造は、前記脚部の基端部に窓部を形成し、該窓部を介して補助機能部材を装着するようにしたり、前記脚部の基端部に窓部を形成し、隣接するテーブルの窓部同士が対向するように脚部を固定するようにし、両窓部に連結部材を架け渡して装着するようにすることができる。
【発明の効果】
【０００９】
本発明のテーブルの脚部構造によれば、天板に脚部を取付方向を変更して固定するための回転固定機構が、天板の裏面に設けた取付プレートと、該取付プレートの背面に形成した空洞部内に回転可能に配設した回転部材とを備え、回転部材と脚部の基端部とを取付プレートに形成した孔を通してねじで螺着することにより、回転部材と脚部の基端部とによって取付プレートの孔の周縁を挟持し、脚部を固定するようにすることにより、テーブルの脚部構造を、出っ張り等をなくして簡易化することにより、美観を保つとともに天板の下を広く使用することができるようにすることができる。
【００１０】
また、前記脚部の基端部に掛止爪を形成し、該掛止爪を取付プレートの孔の周縁に掛止することにより、１本のねじで螺着することで、脚部を固定するようにすることにより、脚部の固定を迅速に行うことができる。
【００１１】
また、前記脚部の基端部に窓部を形成し、該窓部を介して補助機能部材を装着するようにしたり、前記脚部の基端部に窓部を形成し、隣接するテーブルの窓部同士が対向するように脚部を固定するようにし、両窓部に連結部材を架け渡して装着するようにすることにより、脚部に補助機能部材や連結部材を簡易に装着することができる。
【図面の簡単な説明】
【００１２】
【図１】本発明のテーブルの脚部構造を適用したテーブルの一実施例を示す説明図である。
【図２】テーブルの脚部を分解した状態を示す説明図である。
【図３】テーブルの脚部を４５°の向きに固定した状態を示す説明図である。
【図４】テーブルの脚部をさらに４５°回転させて固定した状態を示す説明図である。
【図５】テーブルの脚部を逆方向に４５°回転させて固定するとともに、脚部の基端部に形成した窓部を介して補助機能部材を装着するようにした状態を示す説明図である。
【図６】図５のテーブルの脚部を分解した状態を示す説明図である。
【図７】テーブルを、テーブルの長手方向を揃えて隣接して配置するとともに、連結部材を介して連結する一例を示す説明図である。
【図８】連結部材を示す説明図で、（ａ）は２個の連結部材片を組み合わせた状態の説明図、（ｂ）は一方の連結部材片の説明図である。
【図９】一方のテーブルの脚部の基端部に形成した窓部を介して連結部材を装着するようにした状態を示す説明図である。
【図１０】隣接したテーブル同士を連結部材を介して連結するようにした状態を示す説明図である。
【発明を実施するための形態】
【００１３】
以下、本発明のテーブルの脚部構造の実施の形態を、図面に基づいて説明する。
【００１４】
図１〜図１０に、本発明のテーブルの脚部構造を適用したテーブルの一実施例を示す。
このテーブルは、テーブルの脚部構造として、天板１に回転固定機構３を介して脚部２を、脚部２の取付方向を変更して固定できるようにしたテーブルの脚部構造を採用したものである。
そして、回転固定機構３には、天板１の裏面に設けた取付プレート３１と、この取付プレート３１の背面に形成した天板１の空洞部１１内に回転可能に配設した回転部材３２とを備え、回転部材３２と脚部２の基端部材２２とを取付プレート３１に形成した孔３１ａを通してねじ３３で螺着することにより、回転部材３２と脚部２の基端部材２２とによって取付プレート３１の孔３１ａの周縁を挟持し、脚部２を固定するようにしている。
【００１５】
この場合において、脚部２の基端部を構成する基端部材２２は、本実施例においては、脚部２の支柱２１とは別部材で構成し、支柱２１に対してねじ等の固着手段（図示省略）を用いて連結、一体化するようにしている。
【００１６】
基端部材２２には、上面に掛止爪３４を形成し、この掛止爪３４を取付プレート３１の孔３１ａの周縁に掛止することにより、基端部材２２を回転部材３２に１本のねじ３３で螺着することで、基端部材２２を介して脚部２を迅速に固定することができるようにしている。
【００１７】
また、基端部材２２には、対向する面に窓部２２ａ、２２ｂをそれぞれ形成するとともに、窓部２２ａ、２２ｂを塞ぐ蓋部材２２ｃ、２２ｄを、嵌着又はスライドすることにより装着できるようにしている。
そして、基端部材２２の内部には、窓部２２ａを介して補助機能部材、例えば、フック部材４（図５〜図６参照。）を、ねじ等の固着手段（図示省略）を用いて装着するための固定部２２ｅ、２２ｆを形成するとともに、窓部２２ｂを介して隣接するテーブル同士を連結するための連結部材５（図７〜図１０参照。）を装着するための空洞部２２ｇを備えるようにしている。
【００１８】
回転固定機構３の取付プレート３１の孔３１ａの周面は段部に形成し、この段部に回転部材３２の周面に形成した段部が入り込んで、回転部材３２が円滑に回転するようにする。
【００１９】
回転固定機構３の回転部材３２には、ねじ３３を螺着するための雌ねじ穴３２ａと、基端部材２２の上面に形成した掛止爪３４が挿通される切欠部３２ｂとを形成するようにする。
【００２０】
回転固定機構３には、さらに、天板１の空洞部１１内に、回転部材３２の回転動作にクリック感を付与するための固定円板３５を設けるようにする。
固定円板３５には、複数個の孔部３５ａを形成し、回転部材３２に設けた鋼球及びばねからなるクリックモーション機構（図示省略）の鋼球が入り込み、固定円板３５を回転動作に合わせて、例えば、４５°又は９０°毎にクリック感を付与するようにしている。
【００２１】
テーブルの脚部２は、図３に示すように、窓部２２ａを、テーブルの内側に向けて、４５°の向きに固定するほか、図４に示すように、さらに４５°回転させて固定したり、図５に示すように、逆方向に４５°回転させて固定する等、４５°又は９０°毎の位置、さらに、必要に応じて、任意の角度の位置に固定することができる。
【００２２】
そして、テーブルの脚部２を、図４に示す状態に固定し、２台のテーブルを、各テーブルの窓部２２ｂ同士が対向するようにテーブルの長手方向を揃えて隣接して配置し、両窓部２２ｂに連結部材５を架け渡して装着することにより、２台のテーブルを連結することができる。
なお、テーブルの短手方向を揃えて隣接して配置した２台のテーブルを連結する場合は、テーブルの脚部２を、図５に示す状態に固定するようにする。
【００２３】
連結部材５は、図８に示すように、同形状の２個の連結部材片５Ａ、５Ｂを組み合わせたものからなり、連結部材５を窓部２２ｂに装着する場合は、２個の連結部材片５Ａ、５Ｂを組み合わせた状態で、先端部を窓部２２ｂから基端部材２２の空洞部２２ｇ内に押し込むことにより、連結部材５の先端部が撓んで装着することができる。
一方、連結部材５を窓部２２ｂから離脱する場合は、２個の連結部材片５Ａ、５Ｂを上下方向にスライドさせることによって分離させてから、離脱するようにする。
【００２４】
以上、本発明のテーブルの脚部構造について、その実施例に基づいて説明したが、本発明は上記実施例に記載した構成に限定されるものではなく、その趣旨を逸脱しない範囲において適宜その構成を変更することができるものである。
【産業上の利用可能性】
【００２５】
本発明のテーブルの脚部構造は、脚部の取付方向を変更して固定できるようにしたテーブルの脚部構造を、出っ張り等をなくして簡易化することにより、美観を保つとともに天板の下を広く使用することができるという特性を有していることから、例えば、レイアウトを変更することが多い会議室のテーブルの脚部構造として好適に用いることができる。
【符号の説明】
【００２６】
１  天板
１１  空洞部
２  脚部
２１  支柱
２２  基端部材
２２ａ  窓部
２２ｂ  窓部
２２ｃ  蓋部材
２２ｄ  蓋部材
２２ｅ  固定部
２２ｆ  固定部
２２ｇ  空洞部
３  回転固定機構
３１  取付プレート
３１ａ  孔
３２  回転部材
３２ａ  雌ねじ穴
３２ｂ  切欠部
３３  ねじ
３４  掛止爪
３５  固定円板
４  フック部材（補助機能部材）
５  連結部材
５Ａ  連結部材片
５Ｂ  連結部材片
【図１】
2016202667.tif 000003
【図２】
2016202667.tif 000004
【図３】
2016202667.tif 000005
【図４】
2016202667.tif 000006
【図５】
2016202667.tif 000007
【図６】
2016202667.tif 000008
【図７】
2016202667.tif 000009
【図８】
2016202667.tif 000010
【図９】
2016202667.tif 000011
【図１０】
2016202667.tif 000012